(57)【要約】【課題】携帯電話の状況モード管理方法とシステムを提供する。【解決手段】  携帯電話の状況モード管理方法とシステムで、携帯電話が特定の時間帯にあるときに、携帯電話を自動的に特定の時間帯に対応する特定状況状態のもとで動作するよう設定する。その状況モード管理システムは、活動時間帯テーブルを有して携帯電話の使用者のスケジュールを記録し、状況テーブルを有して活動時間帯テーブル内の各時間帯に進行する活動にそれぞれ対応する状況操作モードを定義する。携帯電話を外部電子機器とリンクする時、時間同期装置（Ｍｅａｎｓ）によって携帯電話と外部電子機器の時間とを一致させることができ、これにより携帯電話は時間同期装置の現在時間に基づき、現在時間における活動時間帯テーブルの対応する活動を照らし合わせ、更に活動の時点の活動状態に基づいて、状況テーブルの対応する状況操作モードを照らし合わせ、携帯電話が状況操作モードのもとで動作するよう自動的に設定する。【選択図】  図２
2005192176.tif 000002
【特許請求の範囲】
【請求項１】
携帯電話が特定の時間帯にある時、携帯電話を自動的に特定時間帯に対応する特定状況モードのもとに動作するよう設定する携帯電話の状況モード管理方法とシステムにおいて、その状況モード管理システムは、
活動時間帯テーブルを含み、携帯電話の使用者のスケジュールの記録に用い、
状況テーブルを含み、活動時間帯テーブル内の各時間帯に進行する活動にそれぞれ対応する状況操作モードの定義に用い、
これにより該携帯電話はそれ自身のシステム時間に基づいて得られる現在時間において、現在時間における活動時間帯テーブルの対応する活動を照らし合わせ、その活動に基づき状況テーブルの対応する状況操作モードを照らし合わせることにより、該携帯電話を自動的にその状況操作モード下で動作するようにして成ることを特徴とする携帯電話の状況モード管理方法とシステム。
【請求項２】
活動時間帯テーブルと状況テーブルは、該携帯電話によりビルドして生成するものであることを特徴とする請求項１記載の携帯電話の状況モード管理方法とシステム。
【請求項３】
活動時間帯テーブルと状況テーブルは、外部電子機器によりビルドして生成するものであることを特徴とする請求項1記載の携帯電話の状況モード管理方法とシステム。
【請求項４】
活動時間帯テーブルと状況テーブルは、該外部電子機器と該携帯電話を接続することにより、活動時間帯テーブルと状況テーブルを該外部電子機器から該携帯電話に伝送することができるようにして成ることを特徴とする請求項３記載の携帯電話の状況モード管理方法とシステム。
【請求項５】
該携帯電話のシステム時間は、外部電子機器の時間同期装置により両者の時間を同期させることができることを特徴とする請求項1記載の携帯電話の状況モード管理方法とシステム。
【請求項６】
該外部電子機器はパソコン、ノートパソコン、携帯電話のうちの一つであることを特徴とする請求項３、請求項４或いは請求項５記載の携帯電話の状況モード管理方法とシステム。
【請求項７】
活動時間帯テーブルは少なくとも、時間帯欄と活動欄を含んで成ることを特徴とする請求項１記載の携帯電話の状況モード管理方法とシステム。
【請求項８】
状況テーブルは少なくとも、活動欄と状況操作モード欄を含んで成ることを特徴とする請求項１記載の携帯電話の状況モード管理方法とシステム。
【請求項９】
携帯電話の状況モード管理方法は以下のフローを含み、
（ａ）活動時間帯テーブルと状況テーブルを提供し、該活動時間テーブルは少なくとも時間帯欄と活動欄を具え、該状況テーブルは少なくとも活動欄と状況操作モード欄を具え、
（ｂ）携帯電話は自身のシステム時間から現在時間を取得し、
（ｃ）携帯電話は、現在時間において活動時間帯テーブルの時間帯欄中で活動が進行しているか否かを判断し、活動が進行している場合は、該時間帯欄での活動状態に基づきフロー（ｄ）を行い、活動が進行していない場合は、フロー（ｂ）に戻り、
（ｄ）携帯電話は該時間帯欄での活動状態に基づき状況テーブルを検索して、対応する状況操作モードを照らし合わせ、
（ｅ）携帯電話は自動的に、フロー（ｄ）で照らし合わせた状況操作モードのもとで動作するようにその状況モードを設定し、
以上のフローに依って、携帯電話が特定時間帯にある時、携帯電話を自動的に、対応する該特定時間帯の特定状況状態のもとで動作するよう設定することができるようにして成ることを特徴とする携帯電話の状況モード管理方法。
【請求項１０】
活動時間帯テーブルと状況テーブルは、該携帯電話によりビルドし生成するものであることを特徴とする請求項９記載の携帯電話の状況モード管理方法。
【請求項１１】
活動時間帯テーブルと状況テーブルは、外部電子機器によりビルドし生成するものであることを特徴とする請求項９記載の携帯電話の状況モード管理方法。
【請求項１２】
活動時間帯テーブルと状況テーブルは、該外部電子機器と該携帯電話とを接続し、該活動時間帯テーブルと該状況テーブルを該外部電子機器から該携帯電話へ伝送することができるようにして成ることを特徴とする請求項１１記載の携帯電話の状況モード管理方法。
【請求項１３】
該携帯電話のシステム時間は、外部電子機器の時間同期装置により両者の時間を同期させることができるようにして成ることを特徴とする請求項９記載の携帯電話の状況モード管理方法。
【請求項１４】
該外部電子機器は、パソコン、ノートパソコン或いは携帯電話のうちの一つであることを特徴とする請求項１１、請求項１２或いは請求項１３記載の携帯電話の状況モード管理方法。
【発明の詳細な説明】
【技術分野】
【０００１】
本発明は携帯電話の状況モード管理方法とシステムに関し、特に携帯電話内に使用して、携帯電話を個人の生活や動態に依って、自動的に状況モードを切り替えられる携帯電話の状況モード管理方法とシステムに関する。
【背景技術】
【０００２】
携帯電話はすでに人類の日常生活にとって非常に重要なコミュニケーションの道具となっており、そのため携帯電話の状況モードと使用者の毎日の規則的な活動とスケジュールとを、どのようにして密接に協調させて、予定した時間帯に進行するスケジュールの時間帯内に、携帯電話が対応する状況モード下で動作するよう提供するか、これが携帯電話の使用者が関心を持っている課題である。スケジュールが発生する場所は、会議室であったり、病院、飛行機、劇場、講演会場、ガソリンスタンドなどだったりするが、通常これらの場面では往々にして携帯電話は異なる状況モード下での動作で適合させる必要がある。公知の携帯電話が提供する予定時間帯のスケジュールの関連状況モードの設定方法は、全て使用者が手動で携帯電話の状況モードを設定する方法である。使用者にとって、全ての状況モードを全て手動で設定するのは非効率的で時間浪費な負担である。
【発明の開示】
【発明が解決しようとする課題】
【０００３】
携帯電話の完全自動化状況モード設定メカニズムを提供し、日常生活中の一定の周期性及び習慣性の活動、例えば睡眠時間、定例の週間会議や月例会議などに符合し、更に電子スケジュールとテーブルを結合して、携帯電話の完全自動化状況モード設定を提供することを課題とする。
【課題を解決するための手段】
【０００４】
本発明は携帯電話の状況モード管理方法とシステムを提供し、携帯電話が特定の時間帯にあるときに、携帯電話を特定の時間帯の特定状況状態で動作するよう自動的に設定できるようにする。
【０００５】
状況モード管理システムは、活動時間帯テーブルを有して携帯電話の使用者のスケジュールを記録し、状況テーブルを有して活動時間帯テーブル内の各時間帯において進行する活動にそれぞれ対応する状況操作モードを定義する。
本発明の携帯電話の状況モード管理方法とシステムは、一般状態では自身のシステム時間に基づいて現在時間を取得し、現在時間における活動時間帯テーブルの対応する活動を照らし合わせ、更に活動に基づいて状況テーブルの対応する状況操作モードを照らし合わせて、携帯電話を自動的に状況操作モード下で動作するよう設定する。
【０００６】
携帯電話を外部電子機器と接続すると、外部電子機器の時間同期装置（Ｍｅａｎｓ）により、携帯電話の時間と外部電子機器の時間を一致させることができる。これにより、携帯電話は時間同期装置の現在時間に基づき、現在時間における活動時間帯テーブルの対応する活動を照らし合わせ、更に活動に基づき状況テーブルの対応する状況操作モードを照らし合わせ、携帯電話を自動的に状況操作モード下で動作するよう設定する。
【発明の効果】
【０００７】
携帯電話の完全自動化状況モード設定メカニズムにより、携帯電話の動作を実際の生活により符合させることができる。
【発明を実施するための最良の形態】
【０００８】
図１に本発明の状況モード管理システムを具える携帯電話の略図を示し、図２に本発明の状況モード管理システムの構造を示す。
本発明の携帯電話１０は状況モード管理システム２０の実行に用い、状況モード管理システム２０は主に、活動時間帯テーブル２０１、状況テーブル２０３を有する。活動時間帯テーブル２０１は携帯電話１０の使用者のスケジュールの記録に用い、即ち携帯電話１０の使用者の毎日の各時間内のスケジュール活動は、全て活動時間帯テーブル２０１の記録に漏れなく記載される。状況テーブル２０３は、活動時間帯テーブル２０１内の各時間帯２０１ａに進行する活動２０１ｂにそれぞれ対応する状況操作モード２０３ｂを定義するのに用いる。状況モード管理システムプログラム２０５は、携帯電話１０のプロセッサが実行し、その実行フローの詳細を以下に説明する。
【０００９】
図３に活動時間帯テーブルのデータ構造を示す。活動時間帯テーブル２０１は少なくとも二つの欄を有する。一つの欄は複数個の時間帯２０１ａであり、もう一つの欄は複数個の活動２０１ｂである。図３の活動時間帯テーブル２０１の具体的実施例では、一時間単位を区切りとして、２４時間を２４の時間帯２０１ａに分け、各時間帯に進行されるスケジュールや仕事の種類は、対応する活動２０１ｂを利用してそのスケジュールや仕事の種類を記録する。
【００１０】
図４に状況テーブルのデータ構造を示す。状況テーブル２０３は少なくとも二つの欄を有する。一つの欄は複数個の活動２０３ａであり、もう一つの欄は複数個の状況操作モード２０３ｂである。図４の状況テーブル２０３の具体的実施例では、活動２０３ａの内容と活動時間帯テーブル２０１の活動２０１ｂの内容が一致しているため、携帯電話１０は活動時間帯テーブル２０１の活動２０１をキーインデックスにして状況テーブル２０３に検索をかけて、活動２０１に対応する状況操作モード２０３ｂを照らし合わせることができる。
【００１１】
本発明の活動時間帯テーブル２０１と状況テーブル２０３の第一種のビルド方法として、携帯電話１０を直接利用して自身で生成することができる。携帯電話１０自身内部のワークシート作成及び入力ツールプログラムを実行して、活動時間帯テーブル２０１及び状況テーブル２０３に対して各項欄内容の入力を行う。
図５に外部電子機器３０と携帯電話１０とを電気的に接続した略図を示す。活動時間帯テーブル２０１と状況テーブル２０３の別の一種のビルド方法として、外部電子機器３０を利用して生成することができる。外部電子機器３０の具体的様態は、パソコン、携帯電話、ノートパソコンなどであってよい。外部電子機器３０が、マイクロソフト社（Ｍｉｃｒｏｓｏｆｔ）のアクティブシンク（Ａｃｔｉｖｅ  ｓｙｎｃ）（登録商標）アプリケーションプログラムなどの類を実行し、アウトルック（Ｏｕｔｌｏｏｋ）（登録商標）予定表の類別を活動２０１ｂへ対応させ、開始、終了時間を時間帯２０１ａへ対応させたり、エクセル（Ｅｘｃｅｌ）（登録商標）を活動時間帯テーブル２０１と同様の形式に設定し、同様にアクティブシンク（Ａｃｔｉｖｅ  ｓｙｎｃ）（登録商標）アプリケーションプログラムによって活動時間帯テーブル２０１や状況テーブル２０３とリンクさせるなど、上述のウィンドウズ（Ｗｉｎｄｏｗｓ）（登録商標）アプリケーションプログラムのリンクによって、活動時間帯テーブル２０１と状況テーブル２０３の入力がより自動的、便利になる。
【００１２】
次に、ケーブルなどの電気的接続手段を使用して、外部電子機器３０と携帯電話１０とを電気的に接続し、相互間でデータ交換と同期作業を行って、外部電子機器３０が完成した活動時間帯テーブル２０１と状況テーブル２０３を携帯電話１０に伝送すると同時に、外部電子機器３０と携帯電話１０の時計の時間を一致させる。このとき、電子機器３０の時間同期装置（Ｍｅａｎｓ）は携帯電話１０を外部電子機器３０の時間に調整する。時間同期装置（Ｍｅａｎｓ）は公知技術であり、マイクロソフト社（Ｍｉｃｒｏｓｏｆｔ）（登録商標）のアクティブシンク（Ａｃｔｉｖｅ  ｓｙｎｃ）（登録商標）アプリケーションプログラムも関連機能を有する。このほか、互換性のある別の携帯電話と有線或いは無線（Ｗｉｒｅｌｅｓｓ、Ｂｌｕｅｔｏｏｔｈ、Ｉｎｆｒａｒｅｄ）の方法で上述のデータ接続を行うこともできる。
【００１３】
図６に携帯電話が本発明の状況モード管理システムを実行するフローを示す。本発明の状況モード管理システム２０のフローを以下に説明する。
まずフロー４０１で、携帯電話１０は自身のシステム時間１１から現在時点を取得し、続いてフロー４０２で、携帯電話１０は現在時間において活動時間帯テーブル２０１の時間帯２０１ａの活動２０１ｂが進行しているか否かを判断する。ここで真（ｔｒｕｅ）であれば、フロー４０３に進み、携帯電話１０は活動２０１ｂのその時点の活動状態に基づき、状況テーブル２０３を検索し、対応する状況操作モード２０３ｂを照らし合わせ、次にフロー４０４へ入り、携帯電話１０は自動的に状況操作モード２０３ｂのもとで動作するよう設定される。
【００１４】
一例を挙げて状況モード管理システム２０のフローを説明する。活動時間帯テーブル２０１の時間帯２０１ａは、「０９：００」の時間帯２０１ａにおいてその活動２０１ｂは「睡眠」である。これに基づき、携帯電話１０の時計が０９：００から１０：００一秒前の時間帯内にあるとき、携帯電話１０は「睡眠」の活動２０１ｂに基づいて状況テーブル２０３を検索し、対応する「振動」の状況操作モード２０３ｂを照らし合わせる。この時間帯内の携帯電話１０は、自動的に振動状況操作モード下で動作し、着信音で使用者が起こされるのを避けることができる。
【００１５】
本発明の活動時間帯テーブル２０１の時間帯２０１ａの長さと、活動２０１ｂの種類は携帯電話１０の使用者に依って変更することができ、図３に示す活動時間帯テーブル２０１は説明のための一例に過ぎない。本発明の状況テーブル２０３の状況操作モード２０３ｂは、携帯電話１０が具える各種動作機能に依って変更でき、図４に示す状況操作モード２０３ｂは、説明のための一例に過ぎず、本発明は例に掲げた着信音、音量、振動、キー確認音などの状況操作モード２０３ｂに限定されるものではない。
【図面の簡単な説明】
【００１６】
【図１】本発明の状況モード管理システムを具えた携帯電話の略図である。
【図２】本発明の状況モード管理システムの構造略図である。
【図３】活動時間帯テーブルのデータ構造図である。
【図４】状況テーブルのデータ構造図である。
【図５】外部電子機器と携帯電話との電気的接続の略図である。
【図６】携帯電話が本発明の状況モード管理システムを実行するフローである。
【符号の説明】
【００１７】
１０ 携帯電話
１１ 携帯電話のシステム時間
２０ 状況モード管理システム
３０ 外部電子機器
２０１ 活動時間帯テーブル
２０１ａ 時間帯
２０１ｂ 活動
２０３ 状況テーブル
２０３ａ 活動
２０３ｂ 状況操作モード
２０５ 状況モード管理システムプログラム
４０１、４０２、４０３、４０４ フロー
【図１】
2005192176.tif 000003
【図２】
2005192176.tif 000004
【図３】
2005192176.tif 000005
【図４】
2005192176.tif 000006
【図５】
2005192176.tif 000007
【図６】
2005192176.tif 000008